(57)【要約】      （修正有）【課題】画像の画質の劣化を抑える。【解決手段】媒体にカラー画像用インク及び背景画像用インクを吐出するヘッドと、カラー画像記録パスを複数回実行してカラー画像を媒体に印刷するカラー画像印刷処理、背景画像記録パスを複数回実行して背景画像を前記媒体に印刷する背景画像印刷処理のうちの一方の処理を行い、一方の処理に引き続いて他方の処理を行う印刷装置であって、一方の処理としてカラー画像印刷処理を行う場合、複数回のカラー画像記録パスの間に、退避位置にて待機時間だけヘッドを待機させ、他方の処理として背景画像印刷処理を行う場合、複数回の背景画像記録パスの間に、退避位置にて待機時間だけヘッドを待機させる処理を実行し、カラー画像印刷処理を行う場合、カラー画像を形成するためのインク吐出量に応じて待機時間を変化させ、及び、背景画像印刷処理を行う場合、背景画像を形成するためのインク吐出量に応じて待機時間を変化させる。【選択図】図８
2013203034.tif 000002
【特許請求の範囲】
【請求項１】
媒体を支持し、かつ、加熱するプラテンと、
前記プラテンにより支持された前記媒体にカラー画像用インク及び背景画像用インクを吐出するヘッドと、
前記ヘッドを前記媒体に対して移動方向に相対移動させつつ前記ヘッドにカラー画像用インクを吐出させるカラー画像記録パスを、前記移動方向と交差する交差方向における前記ヘッドの前記媒体に対する相対位置を変えて複数回実行して、カラー画像を前記媒体に印刷するカラー画像印刷処理、及び、前記ヘッドを前記媒体に対して移動方向に相対移動させつつ前記ヘッドに背景画像用インクを吐出させる背景画像記録パスを、前記移動方向と交差する交差方向における前記ヘッドの前記媒体に対する相対位置を変えて複数回実行して、前記カラー画像の背景となる背景画像を前記媒体に印刷する背景画像印刷処理、のうちの一方の処理を行い、該一方の処理に引き続いて他方の処理を行うコントローラーと、を有する印刷装置であって、
前記コントローラーは、
前記一方の処理として前記カラー画像印刷処理を行う場合、複数回の前記カラー画像記録パスの間において、前記ヘッドを前記プラテン上から退避した退避位置へ移動させて前記退避位置にて待機時間だけ前記ヘッドを待機させ、及び、前記一方の処理として前記背景画像印刷処理を行う場合、複数回の前記背景画像記録パスの間において、前記ヘッドを前記退避位置へ移動させて前記退避位置にて待機時間だけ前記ヘッドを待機させる処理を実行し、
前記一方の処理として前記カラー画像印刷処理を行う場合、前記カラー画像を形成するためのインク吐出量に応じて前記待機時間を変化させ、及び、前記一方の処理として前記背景画像印刷処理を行う場合、前記背景画像を形成するためのインク吐出量に応じて前記待機時間を変化させる処理を実行することを特徴とする印刷装置。
【請求項２】
請求項１に記載の印刷装置において、
前記コントローラーは、
前記一方の処理として前記カラー画像印刷処理を実行する場合に、前記カラー画像を形成するための前記インク吐出量に応じて前記待機時間を段階的に変化させ、及び、前記一方の処理として前記背景画像印刷処理を実行する場合に、前記背景画像を形成するための前記インク吐出量に応じて前記待機時間を段階的に変化させる処理を実行し、
前記待機時間を後者よりも前者にて多段階に変化させることを特徴とする印刷装置。
【請求項３】
請求項１又は請求項２に記載の印刷装置において、
前記コントローラーは、
前記他方の処理として前記背景画像印刷処理を行う場合、複数回の前記背景画像記録パスの間において、前記ヘッドを前記退避位置へ移動させて前記退避位置にて待機時間だけ前記ヘッドを待機させ、及び、前記他方の処理として前記カラー画像印刷処理を行う場合、複数回の前記カラー画像記録パスの間において、前記ヘッドを前記退避位置へ移動させて前記退避位置にて待機時間だけ前記ヘッドを待機させる処理を実行し、
前記他方の処理として前記背景画像印刷処理を行う場合、前記背景画像を形成するためのインク吐出量に応じて前記待機時間を変化させ、及び、前記他方の処理として前記カラー画像印刷処理を行う場合、前記カラー画像を形成するためのインク吐出量に応じて前記待機時間を変化させる処理を実行することを特徴とする印刷装置。
【請求項４】
請求項１乃至請求項３のいずれかに記載の印刷装置において、
前記コントローラーは、
前記カラー画像印刷処理及び前記背景画像印刷処理の間において、前記ヘッドを前記退避位置へ移動させて前記退避位置にて待機時間だけ前記ヘッドを待機させる処理を実行し、
前記一方の処理として前記カラー画像印刷処理を行う場合には、前記カラー画像を形成するためのインク吐出量に応じて前記待機時間を変化させ、及び、前記一方の処理として前記背景画像印刷処理を行う場合には、前記背景画像を形成するためのインク吐出量に応じて前記待機時間を変化させる処理を実行することを特徴とする印刷装置。
【請求項５】
プラテンにより支持され、かつ、加熱された前記媒体にカラー画像用インク及び背景画像用インクを吐出するヘッドを前記媒体に対して移動方向に相対移動させつつ前記ヘッドにカラー画像用インクを吐出させるカラー画像記録パスを、前記移動方向と交差する交差方向における前記ヘッドの前記媒体に対する相対位置を変えて複数回実行して、カラー画像を前記媒体に印刷するカラー画像印刷処理、及び、前記ヘッドを前記媒体に対して移動方向に相対移動させつつ前記ヘッドに背景画像用インクを吐出させる背景画像記録パスを、前記移動方向と交差する交差方向における前記ヘッドの前記媒体に対する相対位置を変えて複数回実行して、前記カラー画像の背景となる背景画像を前記媒体に印刷する背景画像印刷処理、のうちの一方の処理を行い、該一方の処理に引き続いて他方の処理を行うことと、
前記一方の処理として前記カラー画像印刷処理を行う場合、複数回の前記カラー画像記録パスの間において、前記ヘッドを前記プラテン上から退避した退避位置へ移動させて前記退避位置にて待機時間だけ前記ヘッドを待機させ、及び、前記一方の処理として前記背景画像印刷処理を行う場合、複数回の前記背景画像記録パスの間において、前記ヘッドを前記退避位置へ移動させて前記退避位置にて待機時間だけ前記ヘッドを待機させる処理を実行することと、
前記一方の処理として前記カラー画像印刷処理を行う場合、前記カラー画像を形成するためのインク吐出量に応じて前記待機時間を変化させ、及び、前記一方の処理として前記背景画像印刷処理を行う場合、前記背景画像を形成するためのインク吐出量に応じて前記待機時間を変化させる処理を実行することと、を有することを特徴とする印刷方法。
【発明の詳細な説明】
【技術分野】
【０００１】
本発明は、印刷装置、及び、印刷方法に関する。
【背景技術】
【０００２】
媒体にインクを吐出するヘッドを有する印刷装置は既によく知られている。かかる印刷装置としては、例えば、インクジェット式プリンターを挙げることができる。また、このような印刷装置の中には、媒体に吐出されたインクを乾燥させるために、媒体を支持し、かつ、加熱するプラテンを備えるものがある。
【先行技術文献】
【特許文献】
【０００３】
【特許文献１】特開２００５−２４６９０８号公報
【発明の概要】
【発明が解決しようとする課題】
【０００４】
ところで、上記印刷装置においては、カラー画像を印刷するカラー画像印刷と当該カラー画像の背景となる白画像等の背景画像を印刷する背景画像印刷が行われることがある。すなわち、ヘッドを媒体に対して移動方向に相対移動させつつヘッドにカラー画像用インクを吐出させるカラー画像記録パスを、移動方向と交差する交差方向におけるヘッドの媒体に対する相対位置を変えて複数回実行して、カラー画像を媒体に印刷するカラー画像印刷処理、及び、ヘッドを媒体に対して移動方向に相対移動させつつヘッドに背景画像用インクを吐出させる背景画像記録パスを、移動方向と交差する交差方向におけるヘッドの媒体に対する相対位置を変えて複数回実行して、背景画像を媒体に印刷する背景画像印刷処理、が行われる。  
しかしながら、かかるカラー画像印刷処理及び背景画像印刷処理の実行により画像が形成された際に、当該画像の画質が劣化する場合があった。  
また、かかるカラー画像印刷処理及び背景画像印刷処理の実行により形成された画像を乾燥させる際に、当該画像を形成するためのインク吐出量を考慮せずに当該画像を乾燥させていた。そのため、インク吐出量に合わせて当該画像を適切に乾燥させることができず、当該画像の画質が劣化する場合があった。
【０００５】
本発明は、かかる課題に鑑みてなされたものであり、その目的とするところは、画像の画質の劣化を抑えることにある。
【課題を解決するための手段】
【０００６】
主たる本発明は、媒体を支持し、かつ、加熱するプラテンと、
前記プラテンにより支持された前記媒体にカラー画像用インク及び背景画像用インクを吐出するヘッドと、
前記ヘッドを前記媒体に対して移動方向に相対移動させつつ前記ヘッドにカラー画像用インクを吐出させるカラー画像記録パスを、前記移動方向と交差する交差方向における前記ヘッドの前記媒体に対する相対位置を変えて複数回実行して、カラー画像を前記媒体に印刷するカラー画像印刷処理、及び、前記ヘッドを前記媒体に対して移動方向に相対移動させつつ前記ヘッドに背景画像用インクを吐出させる背景画像記録パスを、前記移動方向と交差する交差方向における前記ヘッドの前記媒体に対する相対位置を変えて複数回実行して、前記カラー画像の背景となる背景画像を前記媒体に印刷する背景画像印刷処理、のうちの一方の処理を行い、該一方の処理に引き続いて他方の処理を行うコントローラーと、を有する印刷装置であって、
前記コントローラーは、
前記一方の処理として前記カラー画像印刷処理を行う場合、複数回の前記カラー画像記録パスの間において、前記ヘッドを前記プラテン上から退避した退避位置へ移動させて前記退避位置にて待機時間だけ前記ヘッドを待機させ、及び、前記一方の処理として前記背景画像印刷処理を行う場合、複数回の前記背景画像記録パスの間において、前記ヘッドを前記退避位置へ移動させて前記退避位置にて待機時間だけ前記ヘッドを待機させる処理を実行し、
前記一方の処理として前記カラー画像印刷処理を行う場合、前記カラー画像を形成するためのインク吐出量に応じて前記待機時間を変化させ、及び、前記一方の処理として前記背景画像印刷処理を行う場合、前記背景画像を形成するためのインク吐出量に応じて前記待機時間を変化させる処理を実行することを特徴とする印刷装置である。  
本発明の他の特徴については、本明細書及び添付図面の記載により明らかにする。
【図面の簡単な説明】
【０００７】
【図１】印刷システム１０００の構成を示すブロック図である。
【図２】プリンタードライバーが行う処理の概要を説明する図である。
【図３】画像記録装置１の構成を示す概略図である。
【図４】８パスで印刷するケースにおいて各パスで形成されるラスタラインを示した模式図である。
【図５】画像記録装置１の画像記録動作例を説明するための説明図である。
【図６】ヘッド３１が退避位置に位置するときの画像記録装置１の様子を示した概略図である。
【図７】画像記録装置１の画像記録動作の他の例を説明するための説明図である。
【図８】図８Ａ及び図８Ｂは、表刷り印刷用の待機時間決定テーブルを示す図である。
【図９】図９Ａ及び図９Ｂは、裏刷り印刷用の待機時間決定テーブルを示す図である。
【図１０】インクジェットプリンター５０１の外観模式図である。
【図１１】インクジェットプリンター５０１の構成を示す概略図である。
【発明を実施するための形態】
【０００８】
本明細書及び添付図面の記載により、少なくとも次のことが明らかにされる。  
媒体を支持し、かつ、加熱するプラテンと、
前記プラテンにより支持された前記媒体にカラー画像用インク及び背景画像用インクを吐出するヘッドと、
前記ヘッドを前記媒体に対して移動方向に相対移動させつつ前記ヘッドにカラー画像用インクを吐出させるカラー画像記録パスを、前記移動方向と交差する交差方向における前記ヘッドの前記媒体に対する相対位置を変えて複数回実行して、カラー画像を前記媒体に印刷するカラー画像印刷処理、及び、前記ヘッドを前記媒体に対して移動方向に相対移動させつつ前記ヘッドに背景画像用インクを吐出させる背景画像記録パスを、前記移動方向と交差する交差方向における前記ヘッドの前記媒体に対する相対位置を変えて複数回実行して、前記カラー画像の背景となる背景画像を前記媒体に印刷する背景画像印刷処理、のうちの一方の処理を行い、該一方の処理に引き続いて他方の処理を行うコントローラーと、を有する印刷装置であって、
前記コントローラーは、
前記一方の処理として前記カラー画像印刷処理を行う場合、複数回の前記カラー画像記録パスの間において、前記ヘッドを前記プラテン上から退避した退避位置へ移動させて前記退避位置にて待機時間だけ前記ヘッドを待機させ、及び、前記一方の処理として前記背景画像印刷処理を行う場合、複数回の前記背景画像記録パスの間において、前記ヘッドを前記退避位置へ移動させて前記退避位置にて待機時間だけ前記ヘッドを待機させる処理を実行し、
前記一方の処理として前記カラー画像印刷処理を行う場合、前記カラー画像を形成するためのインク吐出量に応じて前記待機時間を変化させ、及び、前記一方の処理として前記背景画像印刷処理を行う場合、前記背景画像を形成するためのインク吐出量に応じて前記待機時間を変化させる処理を実行することを特徴とする印刷装置である。  
かかる印刷装置によれば、画像の画質の劣化を抑えることが可能となる。
【０００９】
また、前記コントローラーは、前記一方の処理として前記カラー画像印刷処理を実行する場合に、前記カラー画像を形成するための前記インク吐出量に応じて前記待機時間を段階的に変化させ、及び、前記一方の処理として前記背景画像印刷処理を実行する場合に、前記背景画像を形成するための前記インク吐出量に応じて前記待機時間を段階的に変化させる処理を実行し、前記待機時間を後者よりも前者にて多段階に変化させることとしてもよい。  
かかる場合には、カラー画像の画質の劣化をより適切に抑えることが可能となる。
【００１０】
また、前記コントローラーは、前記他方の処理として前記背景画像印刷処理を行う場合、複数回の前記背景画像記録パスの間において、前記ヘッドを前記退避位置へ移動させて前記退避位置にて待機時間だけ前記ヘッドを待機させ、及び、前記他方の処理として前記カラー画像印刷処理を行う場合、複数回の前記カラー画像記録パスの間において、前記ヘッドを前記退避位置へ移動させて前記退避位置にて待機時間だけ前記ヘッドを待機させる処理を実行し、前記他方の処理として前記背景画像印刷処理を行う場合、前記背景画像を形成するためのインク吐出量に応じて前記待機時間を変化させ、及び、前記他方の処理として前記カラー画像印刷処理を行う場合、前記カラー画像を形成するためのインク吐出量に応じて前記待機時間を変化させる処理を実行することとしてもよい。  
かかる場合には、画像の画質の劣化をより適切に抑えることが可能となる。
【００１１】
また、前記コントローラーは、前記カラー画像印刷処理及び前記背景画像印刷処理の間において、前記ヘッドを前記退避位置へ移動させて前記退避位置にて待機時間だけ前記ヘッドを待機させる処理を実行し、前記一方の処理として前記カラー画像印刷処理を行う場合には、前記カラー画像を形成するためのインク吐出量に応じて前記待機時間を変化させ、及び、前記一方の処理として前記背景画像印刷処理を行う場合には、前記背景画像を形成するためのインク吐出量に応じて前記待機時間を変化させる処理を実行することとしてもよい。  
かかる場合には、画像の画質の劣化をより適切に抑えることが可能となる。
【００１２】
次に、プラテンにより支持され、かつ、加熱された前記媒体にカラー画像用インク及び背景画像用インクを吐出するヘッドを前記媒体に対して移動方向に相対移動させつつ前記ヘッドにカラー画像用インクを吐出させるカラー画像記録パスを、前記移動方向と交差する交差方向における前記ヘッドの前記媒体に対する相対位置を変えて複数回実行して、カラー画像を前記媒体に印刷するカラー画像印刷処理、及び、前記ヘッドを前記媒体に対して移動方向に相対移動させつつ前記ヘッドに背景画像用インクを吐出させる背景画像記録パスを、前記移動方向と交差する交差方向における前記ヘッドの前記媒体に対する相対位置を変えて複数回実行して、前記カラー画像の背景となる背景画像を前記媒体に印刷する背景画像印刷処理、のうちの一方の処理を行い、該一方の処理に引き続いて他方の処理を行うことと、
前記一方の処理として前記カラー画像印刷処理を行う場合、複数回の前記カラー画像記録パスの間において、前記ヘッドを前記プラテン上から退避した退避位置へ移動させて前記退避位置にて待機時間だけ前記ヘッドを待機させ、及び、前記一方の処理として前記背景画像印刷処理を行う場合、複数回の前記背景画像記録パスの間において、前記ヘッドを前記退避位置へ移動させて前記退避位置にて待機時間だけ前記ヘッドを待機させる処理を実行することと、
前記一方の処理として前記カラー画像印刷処理を行う場合、前記カラー画像を形成するためのインク吐出量に応じて前記待機時間を変化させ、及び、前記一方の処理として前記背景画像印刷処理を行う場合、前記背景画像を形成するためのインク吐出量に応じて前記待機時間を変化させる処理を実行することと、を有することを特徴とする印刷方法である。  
かかる印刷方法によれば、画像の画質の劣化を抑えることが可能となる。
【００１３】
＝＝＝実施の形態＝＝＝
＜＜＜印刷システムの構成について＞＞＞
図１は、印刷システム１０００の構成を説明する図である。本実施形態における印刷システム１０００は、印刷装置の一例としての画像記録装置１と、印刷制御装置としてのホストコンピューター１１００と、表示装置１２００と、入力装置１３００と、記録再生装置１４００とを有している。
【００１４】
ホストコンピューター１１００は、画像記録装置１、表示装置１２００、入力装置１３００、及び記録再生装置１４００と、ケーブル等の有線または無線によりデータ通信可能に接続されている。このコンピューター装置１１００は、画像記録装置１との間でデータの送受信を行うためのインターフェース部と、ホストコンピューター１１００全体の制御を行うための演算処理装置としてのＣＰＵと、プリンタードライバー等のプログラムを格納する領域や作業領域等を確保するコンピューター側メモリーと、を有しており、画像記録装置１に印刷させようとする画像の印刷データを作成して画像記録装置１に出力するようになっている。
【００１５】
表示装置１２００は、アプリケーションプログラムやプリンタードライバー等のユーザーインターフェースを表示する。
【００１６】
入力装置１３００は、例えばキーボードやマウスからなり、表示装置１２００に表示されたユーザーインターフェースに沿って、アプリケーションプログラムの操作やプリンタードライバーの設定等に用いられる。
【００１７】
記録再生装置１４００は、例えば、フレキシブルディスクドライブ装置やＣＤ−ＲＯＭドライブ装置により構成されている。
【００１８】
本実施形態に係るホストコンピューター１１００には、プリンタードライバーがインストールされている。このプリンタードライバーは、表示装置１２００にユーザーインターフェースを表示させる機能を実現させるほか、アプリケーションプログラムから出力された画像データを印刷データに変換する機能を実現させるためのプログラムである。このプリンタードライバーは、フレキシブルディスクやＣＤ−ＲＯＭなどの各種記憶媒体（コンピューター読み取り可能な記録媒体等）に記憶されている。または、プリンタードライバーは、インターネットなど、各種通信手段を通じてダウンロードすることも可能である。
【００１９】
＜プリンタードライバーについて＞
図２は、プリンタードライバーが行う基本的な処理を概略的に説明する図である。  
ホストコンピューター１１００では、当該ホストコンピューター１１００に搭載されたオペレーティングシステムの下、ビデオドライバー１１０２やアプリケーションプログラム１１０４、プリンタードライバー１１１０などのコンピュータープログラムが動作している。ビデオドライバー１１０２は、アプリケーションプログラム１１０４やプリンタードライバー１１１０からの表示命令に従って、例えばユーザーインターフェース等を表示装置１２００に表示する機能を有する。アプリケーションプログラム１１０４は、例えば、画像編集などを行う機能を有し、画像に関するデータ（画像データ）を作成する。ユーザーは、アプリケーションプログラム１１０４のユーザーインターフェースを介して、アプリケーションプログラム１１０４により編集した画像を印刷する指示を与えることができる。アプリケーションプログラム１１０４は、印刷の指示を受けると、プリンタードライバー１１１０に画像データを出力する。
【００２０】
プリンタードライバー１１１０は、アプリケーションプログラム１１０４から画像データを受け取り、この画像データを印刷データに変換し、印刷データを画像記録装置１に出力する。ここで、印刷データとは、画像記録装置１が解釈できる形式のデータであって、各種のコマンドデータと画素データとを有するデータである。また、コマンドデータとは、画像記録装置１に特定の動作の実行を指示するためのデータである。また、画素データとは、印刷される画像（印刷画像）を構成する画素に関するデータであり、例えば、ある画素に対応する媒体上の位置に形成されるドットに関するデータ（ドットの色や大きさ等のデータ）である。
【００２１】
プリンタードライバー１１１０は、アプリケーションプログラム１１０４から出力された画像データを印刷データに変換するために、解像度変換処理部１１１２と、色変換処理部１１１４と、ハーフトーン処理部１１１６と、ラスタライズ処理部１１１８とを備えている。以下に、プリンタードライバー１１１０の各処理部１１１２、１１１４、１１１６、１１１８が行う各種の処理について説明する。
【００２２】
解像度変換処理部１１１２は、アプリケーションプログラム１１０４から出力された画像データ（テキストデータ、イメージデータなど）を、媒体に印刷する際の解像度に変換する解像度変換処理を行う。解像度変換処理とは、例えば、媒体に画像を印刷する際の解像度が７２０×７２０ｄｐｉに指定されている場合、アプリケーションプログラム１１０４から受け取った画像データを７２０×７２０ｄｐｉの解像度の画像データに変換する。なお、解像度変換処理後の画像データは、ＲＧＢ色空間により表される多階調（例えば２５６階調）のＲＧＢデータである。以下、画像データを解像度変換処理したＲＧＢデータをＲＧＢ画像データと呼ぶ。
【００２３】
色変換処理部１１１４は、ＲＧＢデータをＣＭＹＫ色空間により表されるＣＭＹＫデータに変換する色変換処理を行う。なお、ＣＭＹＫデータは、画像記録装置１が有するインクの色に対応したデータである。この色変換処理は、ＲＧＢ画像データの階調値とＣＭＹＫ画像データの階調値とを対応づけたテーブル（色変換ルックアップテーブルＬＵＴ）をプリンタードライバー１１１０が参照することによって行われる。この色変換処理により、各画素についてのＲＧＢデータが、インク色に対応するＣＭＹＫデータに変換される。なお、色変換処理後のデータは、ＣＭＹＫ色空間により表される２５６階調のＣＭＹＫデータである。以下、ＲＧＢ画像データを色変換処理したＣＭＹＫデータをＣＭＹＫ画像データと呼ぶ。
【００２４】
ハーフトーン処理部１１１６は、高階調数のデータを、画像記録装置１が形成可能な階調数のデータに変換するハーフトーン処理を行う。ハーフトーン処理とは、例えば、２５６階調を示すデータが、２階調を示す１ビットデータや４階調を示す２ビットデータに変換する処理のことである。このハーフトーン処理では、ディザ法・γ補正・誤差拡散法などを利用して、画像記録装置１がドットを分散して形成できるように画素データを作成する。ハーフトーン処理部１１１６は、ハーフトーン処理を行うとき、ディザ法を行う場合にはディザテーブルを参照し、γ補正を行う場合にはガンマテーブルを参照し、誤差拡散法を行う場合は拡散された誤差を記憶するための誤差メモリーを参照する。ハーフトーン処理されたデータは、前述のＲＧＢデータと同等の解像度（例えば、７２０ｄｐｉ×７２０ｄｐｉ）を有している。ハーフトーン処理されたデータは、例えば、各画素につき１ビット又は２ビットのデータから構成される。
【００２５】
ラスタライズ処理部１１１８は、マトリクス状の画像データを、画像記録装置１に転送すべきデータ順に変更するラスタライズ処理を行う。これによりラスタライズ処理されたデータは、画像記録装置１に出力される。
【００２６】
＜プリンタードライバーの設定について＞
プリンタードライバー１１１０のユーザーインターフェースについて説明する。  
プリンタードライバー１１１０のユーザーインターフェースは、ビデオドライバー１１０２を介して、表示装置１２００に表示される。ユーザーは、入力装置１３００を用いて、印刷モード、印刷の解像度（印刷するときのドットの間隔。７２０ｄｐｉ、３６０ｄｐｉ等）、印刷に用いられる媒体の種類（普通紙、光沢紙、透明フィルム等）、印刷する画像の種類（カラー印刷、モノクロ印刷等）など、プリンタードライバー１１１０の各種の設定を行うことができる。
【００２７】
本実施形態に係るプリンタードライバー１１１０のユーザーインターフェースでは、表示装置１２００に表示される印刷モードの設定画面において、表刷り印刷および裏刷り印刷のいずれかの印刷モードをユーザーに選択させることができる。プリンタードライバー１１１０は、ユーザーにより設定された印刷モードに応じた形式になるように、画像データを印刷データに変換する。そのため、ユーザーによって表刷り印刷の印刷モードが選択されると、画像記録装置１は、ホストコンピューター１１００から表刷り印刷に応じた形式の印刷データを受け取り、主画像となるカラー画像の層（以下、レイヤーとも呼ぶ）に該カラー画像の背景となる背景画像の層を重ねた印刷物を形成するための表刷り印刷処理を実行する。一方で、ユーザーによって裏刷り印刷の印刷モードが選択されると、画像記録装置１は、ホストコンピューター１１００から裏刷り印刷に応じた形式の印刷データを受け取り、背景画像の層にカラー画像の層を重ねた印刷物を形成するための裏刷り印刷処理を実行する。なお、この表刷り印刷処理及び裏刷り印刷処理については、追って詳述する。
【００２８】
＜＜＜画像記録装置１の構成例について＞＞＞
画像記録装置１（本実施の形態においては、インクジェット式プリンター、特に、ラテラルスキャン型のラベル印刷機）の構成例について、図１及び図３を用いて説明する。図３は、画像記録装置１の概略断面図である。
【００２９】
なお、以下の説明において、「上下方向」、「左右方向」をいう場合は、図３に矢印で示した方向を基準として示すものとする。また、「前後方向」をいう場合は、図３において紙面に直交する方向を示すものとする。  
また、本実施の形態においては、画像記録装置１が画像を記録する媒体の一例として、ロール状に巻かれた透明なメディア（以下、ロール状透明メディア２という）を用いて説明する。
【００３０】
本実施の形態に係る画像記録装置１は、図１及び図３に示すように、搬送ユニット２０、及び、該搬送ユニット２０がロール状透明メディア２を搬送する搬送経路（図３において、当該搬送経路は、ロール状透明メディア巻軸１８からロール状透明メディア巻き取り駆動軸９２までの間の、ロール状透明メディア２が位置する部分により表されている）に沿って、給送ユニット１０、プラテン２９、巻き取りユニット９０、を有し、さらに、搬送経路上の画像記録領域Ｒにおいて複数種類のインクを吐出して画像記録を行うヘッドユニット３０と、インク補給ユニット３５と、キャリッジユニット４０と、クリーニングユニット４３と、ヒーターユニット７０と、プラテン２９上のロール状透明メディア２に風を送る送風ユニット８０と、これらのユニット等を制御し画像記録装置１としての動作を司るコントローラー６０と、検出器群５０と、を有している。
【００３１】
給送ユニット１０は、ロール状透明メディア２を搬送ユニット２０に給送するものである。この給送ユニット１０は、ロール状透明メディア２が巻かれ回転可能に支持されるロール状透明メディア巻軸１８と、ロール状透明メディア巻軸１８から繰り出されたロール状透明メディア２を巻き掛けて搬送ユニット２０に導くための中継ローラー１９と、を有している。
【００３２】
搬送ユニット２０は、給送ユニット１０により送られたロール状透明メディア２を、予め設定された搬送経路に沿って搬送するものである。この搬送ユニット２０は、図３に示すように、中継ローラー１９に対して水平右方に位置する中継ローラー２１と、中継ローラー２１から見て右斜め下方に位置する中継ローラー２２と、中継ローラー２２から見て右斜め上方（プラテン２９から見て搬送方向における左側）に位置する第一搬送ローラー２３と、中継ローラー２２と第一搬送ローラー２３との間に位置するステアリングユニット（舵取りユニット）２０ａと、第一搬送ローラー２３から見て右方（プラテン２９から見て搬送方向における右側）に位置する第二搬送ローラー２４と、第二搬送ローラー２４から見て鉛直下方に位置する反転ローラー２５と、反転ローラー２５から見て右方に位置する中継ローラー２６と、中継ローラー２６から見て上方に位置する送り出しローラー２７と、を有している。
【００３３】
中継ローラー２１は、中継ローラー１９から送られたロール状透明メディア２を、左方から巻き掛けて下方に向かって弛ませるローラーである。  
中継ローラー２２は、中継ローラー２１から送られたロール状透明メディア２を、左方から巻き掛けて右斜め上方に向かって搬送するローラーである。
【００３４】
第一搬送ローラー２３は、不図示のモーターにより駆動される第一駆動ローラー２３ａと、該第一駆動ローラー２３ａに対してロール状透明メディア２を挟んで対向するように配置された第一従動ローラー２３ｂとを有している。この第一搬送ローラー２３は、下方に弛ませたロール状透明メディア２を上方に引き上げ、プラテン２９に対向する画像記録領域Ｒへ搬送するローラーである。第一搬送ローラー２３は、画像記録領域Ｒ上のロール状透明メディア２の部位に対して画像印刷がなされている期間、一時的に搬送を停止させるようになっている（すなわち、後述するように、ヘッド３１が、左右方向及び前後方向へ移動しつつ、停止しているロール状透明メディア２の当該部位にインクを吐出することにより、当該部位に１ページ分の画像記録が成されることとなる）。なお、コントローラー６０の駆動制御により、第一駆動ローラー２３ａの回転駆動に伴って第一従動ローラー２３ｂが回転することによって、プラテン２９上に位置させるロール状透明メディア２の搬送量が調整される。
【００３５】
搬送ユニット２０は、上述したとおり、中継ローラー２１、２２と第一搬送ローラー２３との間に巻き掛けたロール状透明メディア２の部位を下方に弛ませて搬送する機構を有している。このロール状透明メディア２の弛みは、コントローラー６０により、不図示の弛み検出用センサーからの検出信号に基づき監視される。具体的には、中継ローラー２１、２２と第一搬送ローラー２３との間において弛ませたロール状透明メディア２の部位を、弛み検出用センサーが検出した場合には、該部位に適切な大きさの張力が与えられていることになるため、搬送ユニット２０はロール状透明メディア２を弛ませた状態で搬送することが可能となる。一方、弛み検出用センサーが弛ませたロール状透明メディア２の部位を検出しない場合は、該部位に過剰な大きさの張力が与えられていることになるため、搬送ユニット２０によるロール状透明メディア２の搬送が一時的に停止され、張力が適切な大きさに調整される。
【００３６】
ステアリングユニット２０ａは、図３に示すように、傾斜した状態で搬送経路上に位置し、回動することによりロール状透明メディア２の幅方向位置（幅方向（図３に示す前後方向）においてロール状透明メディア２が位置する位置）を変化させるためのものである。すなわち、ロール状透明メディア２が搬送経路に沿って搬送される際、中継ローラー等の軸ずれや組み付け誤差等によりロール状透明メディア２に作用する張力が変動すること等に起因して、ロール状透明メディア２の幅方向位置が変位する場合がある。そして、当該ステアリングユニット２０ａは、ロール状透明メディア２の当該幅方向位置を調整するためのものである。
【００３７】
第二搬送ローラー２４は、不図示のモーターにより駆動される第二駆動ローラー２４ａと、該第二駆動ローラー２４ａに対してロール状透明メディア２を挟んで対向するように配置された第二従動ローラー２４ｂとを有している。この第二搬送ローラー２４は、ヘッドユニット３０により画像が記録された後のロール状透明メディア２の部位を、プラテン２９の支持面に沿って水平右方向に搬送した後に鉛直下方に搬送するローラーである。これにより、ロール状透明メディア２の方向が転換されることになる。なお、コントローラー６０の駆動制御により、第二駆動ローラー２４ａの回転駆動に伴って第二従動ローラー２４ｂが回転することによって、プラテン２９上に位置するロール状透明メディア２の部位に対して付与される所定の張力が調整される。
【００３８】
反転ローラー２５は、第二搬送ローラー２４から送られたロール状透明メディア２を、左側上方から巻き掛けて右斜め上方に向かって搬送するローラーである。  
中継ローラー２６は、反転ローラー２５から送られたロール状透明メディア２を、左側下方から巻き掛けて上方に向かって搬送するローラーである。  
送り出しローラー２７は、中継ローラー２６から送られたロール状透明メディア２を、左側下方から巻き掛けて巻き取りユニット９０に送り出すようになっている。
【００３９】
このように、ロール状透明メディア２が各ローラーを順次経由して移動することにより、ロール状透明メディア２を搬送するための搬送経路が形成されることになる。なお、ロール状透明メディア２は、搬送ユニット２０により、画像記録領域Ｒと対応した領域単位で間欠的にその搬送経路に沿って搬送される（すなわち、画像記録領域Ｒ上のロール状透明メディア２の部位に１ページ分の画像記録が成される毎に、間欠的な当該搬送が行なわれる）。
【００４０】
ヘッドユニット３０は、搬送経路上の画像記録領域Ｒに位置するロール状透明メディア２の部位に画像を記録するためのものである。すなわち、ヘッドユニット３０は、搬送ユニット２０により搬送経路上の画像記録領域Ｒに（プラテン２９上に）送り込まれたロール状透明メディア２の部位に、インク吐出ノズルからインクを吐出して画像を形成する。このヘッドユニット３０は、ヘッド３１を有している。
【００４１】
ヘッド３１は、その下面（すなわち、ノズル面３２）に、列方向にインク吐出ノズルが並んだインク吐出ノズル列を有している。本実施の形態においては、イエロー（Ｙ）、マゼンタ（Ｍ）、シアン（Ｃ）、ブラック（Ｋ）、ホワイト（Ｗ）の色毎にそれぞれ複数のインク吐出ノズル♯１〜♯Ｎからなるインク吐出ノズル列を有している。各インク吐出ノズル列の各インク吐出ノズル♯１〜♯Ｎは、ロール状透明メディア２の搬送方向に交差する交差方向（つまり、当該交差方向が前述した列方向である）に直線状に配列されている。各インク吐出ノズル列は、当該搬送方向に沿って相互に間隔をあけて平行に配置されている。
【００４２】
各インク吐出ノズル♯１〜♯Ｎには、インク滴を吐出するための駆動素子としてピエゾ素子（不図示）が設けられている。ピエゾ素子は、その両端に設けられた電極間に所定時間幅の電圧を印加すると、電圧の印加時間に応じて伸張し、インクの流路の側壁を変形させる。これによって、インクの流路の体積がピエゾ素子の伸縮に応じて収縮し、この収縮分に相当するインクが、インク滴となって各色の各インク吐出ノズル♯１〜♯Ｎから吐出される。
【００４３】
また、ヘッド３１は、後述するように、前記搬送方向（すなわち、前記左右方向）と前記列方向（すなわち、前記前後方向）に往復移動することができるようになっている。
【００４４】
インク補給ユニット３５は、ヘッド３１によるインクの吐出に起因してヘッド３１内のインクの量が減った際に、ヘッド３１にインクを補給するためのものである。
【００４５】
このインク補給ユニット３５は、インクの色毎に設けられている。すなわち、イエロー色のインクを補給するためのイエローインク補給ユニット、マゼンタ色のインクを補給するためのマゼンタインク補給ユニット、シアン色のインクを補給するためのシアンインク補給ユニット、ブラック色のインクを補給するためのブラックインク補給ユニット、ホワイト色のインクを補給するためのホワイトインク補給ユニットが設けられている。
【００４６】
インク補給ユニット３５は、インクカートリッジ、インクの流路（通り道）となる多数のチューブ、当該チューブを開閉するための多数のバルブ等から構成されている。なお、当該インクカートリッジが設置されている場所を、図３における符号３５で表している。
【００４７】
キャリッジユニット４０は、ヘッド３１を移動させるためのものである。このキャリッジユニット４０は、搬送方向（左右方向）に延びるキャリッジガイドレール４１と（図３に二点鎖線で示す）、キャリッジガイドレール４１に沿って搬送方向（左右方向）へ往復移動可能に支持されたキャリッジ４２と、不図示のモーターとを有する。
【００４８】
キャリッジ４２は、不図示のモーターの駆動により、ヘッド３１と一体となって搬送方向（左右方向）へ移動するよう構成されている。すなわち、キャリッジ４２は、ヘッド３１を支持し、ヘッド３１の移動に伴って移動するようになっている。また、キャリッジ４２には、列方向（前後方向）に延びる不図示のヘッドガイドレールが設けられており、ヘッド３１は、前記モーターの駆動により、当該ヘッドガイドレールに沿って列方向（前後方向）へ移動するよう構成されている。
【００４９】
クリーニングユニット４３は、ヘッド３１をクリーニングするためのものである。このクリーニングユニット４３は、ホームポジション（以下、ＨＰと呼ぶ。図３参照）に設けられており、キャップと、吸引ポンプ等とを有している。ヘッド３１（キャリッジ４２）が搬送方向（左右方向）に移動してＨＰに位置すると、ヘッド３１の下面（ノズル面３２）に不図示のキャップが密着するようになっている。このようにキャップが密着した状態で吸引ポンプが作動すると、ヘッド３１内のインクが、増粘したインクや紙粉と共に吸引される。このようにして、目詰まりしたインク吐出ノズルが不吐出状態から回復することによってヘッド３１のクリーニングが完了する。
【００５０】
また、搬送方向（左右方向）におけるＨＰとプラテン２９との間には、フラッシングユニット４４が設けられており、ヘッド３１（キャリッジ４２）が搬送方向（左右方向）に移動してフラッシングユニット４４に対向する位置に位置すると、ヘッド３１は前記インク吐出ノズル列に属する各インク吐出ノズルからインクを吐出してフラッシングを行なうフラッシング動作を実行する。
【００５１】
プラテン２９は、ロール状透明メディア２を支持し、かつ、加熱するためのものである。すなわち、プラテン２９は、搬送経路上の画像記録領域Ｒに位置するロール状透明メディア２の部位を支持するとともに、該部位を加熱する。このプラテン２９は、図３に示すように、搬送経路上の画像記録領域Ｒに対応させて設けられ、かつ、第一搬送ローラー２３と第二搬送ローラー２４との間の搬送経路に沿った領域に配置されている。そして、プラテン２９は、ヒーターユニット７０が発生させた熱の供給を受けることにより、ロール状透明メディア２の該部位を加熱することができる。
【００５２】
ヒーターユニット７０は、ロール状透明メディア２を加熱するためのものであり、不図示のヒーターを有している。このヒーターは、ニクロム線を有しており、当該ニクロム線をプラテン２９内部に、プラテン２９の支持面から一定距離となるように配置させて構成されている。このため、ヒーターは、通電されることによってニクロム線自体が発熱し、プラテン２９の支持面上に位置するロール状透明メディア２の部位に熱を伝導させることができる。このヒーターは、プラテン２９の全域にニクロム線を内蔵させて構成されているため、プラテン２９上のロール状透明メディア２の部位に対して熱を均一に伝導することができる。本実施の形態において、プラテン上のロール状透明メディア２の部位の温度が４５℃となるように、該ロール状透明メディア２の部位を均一に加熱する。これにより、該ロール状透明メディア２の部位に着弾されたインクを乾燥させることができる。
【００５３】
送風ユニット８０は、プラテン２９上のロール状透明メディア２の部位に風を送ることにより、プラテン２９（ヒーターユニット７０）と協働して、当該部位上に吐出されたインクを乾燥させるためのものである。この送風ユニット８０は、画像記録装置本体に固定された固定送風機の一例としての天井ファン８１と、キャリッジ４２に設けられ、ヘッド３１の移動に伴って移動しながら、ロール状透明メディア２に向けて送風する移動送風機の一例としてのオンキャリッジファン８２とを有している。
【００５４】
天井ファン８１は、回転することにより、プラテン２９上のロール状透明メディア２の部位に向けて風を送って（送風して）、当該部位に着弾されたインクを乾燥させる。この天井ファン８１は、軸流ファンであり、図３に示すように、画像記録装置本体（具体的には、画像記録装置本体に設けられた開閉可能な不図示のカバー）に複数設けられている。そして、この各々の天井ファン８１は、図３に示すように、カバーが閉じた際に、プラテン２９の上方に位置して、当該プラテン２９の支持面（当該プラテン２９上のロール状透明メディア２）と対向するようになっている。そして、天井ファン８１は、プラテン２９と対向した状態で、下方向へ送風する（風の向きを、図３の天井ファン８１に付した矢印で示す）。
【００５５】
オンキャリッジファン８２も、天井ファン８１と同様、回転することにより、プラテン２９上のロール状透明メディア２の部位に向けて風を送って（送風して）、当該部位に着弾されたインクを乾燥させる。このオンキャリッジファン８２も、軸流ファンであり、キャリッジ４２に複数（本実施の形態においては、二つ）設けられている。すなわち、図３に示すように、一方のオンキャリッジファン８２は、搬送方向においてヘッド３１よりも左側に、他方のオンキャリッジファン８２は、搬送方向においてヘッド３１よりも右側に、それぞれ備えられている。なお、本実施の形態において、二つのオンキャリッジファン８２は、常に、同時に作動する（一方のみが作動することはない）。
【００５６】
オンキャリッジファン８２は、ヘッド３１と共にキャリッジ４２に設けられているため、ヘッド３１（キャリッジ４２）の移動に伴って移動しながら、ロール状透明メディア２に向けて送風する（この点で、移動しながら送風することのない天井ファン８１とは異なっている）。本実施の形態において、オンキャリッジファン８２は、プラテン２９の上方に位置して、当該プラテン２９の支持面（当該プラテン２９上のロール状透明メディア２）と対向し、下方向へ送風する（風の向きを、図３のオンキャリッジファン８２に付した矢印で示す）。
【００５７】
巻き取りユニット９０は、搬送ユニット２０により送られたロール状透明メディア２（画像記録済みのロール状透明メディア）を巻き取るためのものである。この巻き取りユニット９０は、送り出しローラー２７から送られたロール状透明メディア２を、左側上方から巻き掛けて右斜め下方へ搬送するための中継ローラー９１と、回転可能に支持され中継ローラー９１から送られたロール状透明メディア２を巻き取るロール状透明メディア巻き取り駆動軸９２と、を有している。
【００５８】
コントローラー６０は、画像記録装置１の制御を行うための制御ユニットである。このコントローラー６０は、図１に示すように、インターフェース部６１と、ＣＰＵ６２と、メモリー６３と、ユニット制御回路６４と、を有している。インターフェース部６１は、外部装置であるホストコンピューター１１００と画像記録装置１との間でデータの送受信を行うためのものである。ＣＰＵ６２は、画像記録装置１全体の制御を行うための演算処理装置である。メモリー６３は、ＣＰＵ６２のプログラムを格納する領域や作業領域等を確保するためのものである。ＣＰＵ６２は、メモリー６３に格納されているプログラムに従ったユニット制御回路６４により各ユニットを制御する。
【００５９】
検出器群５０は、画像記録装置１内の状況を監視するものであり、例えば、前述の弛み検出用センサー、搬送ローラーに取り付けられてロール状透明メディア２の搬送などの制御に利用されるロータリー式エンコーダー、搬送されるロール状透明メディア２の有無を検出する用紙検出センサー、キャリッジ４２（又はヘッド３１）の搬送方向（左右方向）の位置を検出するためのリニア式エンコーダー、ロール状透明メディア２の幅方向における紙端（エッジ）位置を検出する紙端位置検出センサーなどがある。
【００６０】
＜＜＜画像記録装置１の動作例について＞＞＞
上述した通り、本実施の形態に係る画像記録装置１には、列方向（前後方向）にインク吐出ノズルが並んだインク吐出ノズル列を有するヘッド３１が設けられている。そして、コントローラー６０が、当該ヘッド３１を搬送方向（左右方向）に移動させながら、インク吐出ノズルからインクを吐出させ、搬送方向（左右方向）に沿ったラスタラインを形成すること（このこと、すなわち、かかる動作を、画像記録パス又は単にパスと呼ぶ）により、画像記録領域Ｒ上のロール状透明メディア２の部位に１ページ分の画像記録を行なう。
【００６１】
ここで、本実施の形態に係るコントローラー６０は、複数パス（４パス、６パス、８パス等）による印刷を実行する。すなわち、列方向における画像の解像度を高くするために、パス毎に列方向におけるヘッド３１の位置を少しずつ変えて印刷を行なう。また、画像形成方法としては、例えば、公知のインターレース（マイクロウィーブ）印刷が実行される。
【００６２】
これについて、図４を用いてより具体的に説明する。図４は、８パスで印刷するケースにおいて各パスで形成されるラスタラインを示した模式図である。
【００６３】
図４の左側にはヘッド３１のインク吐出ノズル列（インク吐出ノズル）が表されており、当該ヘッド３１（インク吐出ノズル列）が搬送方向に移動しながらインク吐出ノズルからインクが吐出されることにより、ラスタラインが形成される。図に表されているヘッド３１（インク吐出ノズル列）の列方向における位置は、１パス目のときの位置であり、かかる位置を維持したままヘッド３１（インク吐出ノズル列）が搬送方向に移動すると、１パス目の印刷が実行され、図に表された３つのラスタライン（右端にパス１と書かれているラスタラインＬ１）が形成される。なお、図４においては、図を分かり易くするために、途切れた部分のない一直線のラスタラインを表しているが、当然のことながら、印刷データがない場合には、ラスタラインに途切れた部分が生じ得る。
【００６４】
そして、次に、ヘッド３１（インク吐出ノズル列）が列方向に移動して、移動後の位置を維持したままヘッド３１（インク吐出ノズル列）が搬送方向に移動すると、２パス目の印刷が実行され、図に表された２つのラスタライン（右端にパス２と書かれているラスタラインＬ２）が形成される。なお、インターレース（マイクロウィーブ）印刷が採用されているため、前記ラスタラインＬ１に隣接するラスタラインＬ２は、ラスタラインＬ１を形成するインクが吐出されたインク吐出ノズルとは異なるインク吐出ノズルから吐出されたインクにより形成されることとなる。そのため、ヘッド３１（インク吐出ノズル列）の列方向への移動距離は、ノズル間距離（例えば、１／１８０インチ）の１／８分（１／１８０×１／８＝１／１４４０インチ）ではなく、これより大きな距離（以下では、この距離を距離ｄとする）となる。
【００６５】
以下、同様の動作が行なわれることにより、３〜８パス目の印刷が実行されて、図に表された残りのラスタライン（右端にパス３〜８と書かれているラスタラインＬ３〜Ｌ８）が形成される。このように、８パスでラスタラインが形成されることにより、列方向における画像の解像度を８倍（＝１４４０÷１８０）の解像度とすることが可能となる。
【００６６】
なお、本実施の形態においては、所謂双方向印刷が行なわれる。すなわち、１パス、３パス、５パス、７パス目の印刷が行なわれるときにヘッド３１（インク吐出ノズル列）が移動する方向と２パス、４パス、６パス、８パス目の印刷が行なわれるときにヘッド３１（インク吐出ノズル列）が移動する方向は互いに逆方向となる。
【００６７】
ところで、本実施の形態においては、カラー画像（ここでは、ラベルの画像）を印刷するカラー画像印刷と当該カラー画像の背景となる背景画像を印刷する背景画像印刷が行われる。そして、かかる場合には、前述した１ページ分の画像記録（すなわち、画像記録パスを複数回実行することによる画像記録）が、２回（すなわち、カラー画像の画像記録と背景画像の画像記録）実施され、カラー画像の層と背景画像の層とが重ねられる。
【００６８】
以下では、画像記録装置１の動作例として、背景画像記録パスを８回実行して背景画像をロール状透明メディア２に印刷する背景画像印刷処理を行い、当該背景画像印刷処理に引き続いてカラー画像記録パスを８回実行してカラー画像をロール状透明メディア２に印刷するカラー画像印刷処理を行うケースを例に挙げて説明する。
【００６９】
＜＜＜画像記録装置１の画像記録動作例について＞＞＞
ここでは、画像記録装置１の画像記録動作例について、前記ケースに基づき図５を用いて説明する。図５は、画像記録装置１の画像記録動作例を説明するための説明図である。なお、当該画像記録動作は、主としてコントローラー６０により実現される。特に、本実施の形態においては、メモリー６３に格納されたプログラムをＣＰＵ６２が処理することにより実現される。そして、このプログラムは、以下に説明する各種の動作を行なうためのコードから構成されている。
【００７０】
前述した間欠的なロール状透明メディア２の搬送が行なわれてロール状透明メディア２が停止すると、画像記録領域Ｒ上のロール状透明メディア２の部位に１ページ分の背景画像記録を行なうための背景画像印刷処理が、コントローラー６０により開始される。
【００７１】
先ず、コントローラー６０は、１回目の背景画像記録パスを実行する。すなわち、コントローラー６０は、ヘッド３１をロール状透明メディア２に対して搬送方向に相対移動させつつ（本実施の形態においては、ヘッド３１の方を搬送方向に移動させる）、ヘッド３１に背景画像用インクを吐出させて、１パス目の背景画像印刷（図４に示されたラスタラインＬ１の形成）を実行する（ステップＳ１）。なお、本実施の形態においては、背景画像として白画像（所謂白ベタ画像）を印刷する。そのため、背景画像用インクとして、ホワイトインクが用いられる。
【００７２】
次に、コントローラー６０は、２回目の背景画像記録パスを実行する。すなわち、コントローラー６０は、ヘッド３１を列方向へ距離ｄだけ移動させてから、ヘッド３１を搬送方向に移動させつつ、ヘッド３１にホワイトインクを吐出させて、２パス目の背景画像印刷（図４に示されたラスタラインＬ２の形成）を実行する（ステップＳ３）。
【００７３】
そして、以下、２回目の背景画像記録パスと同様の動作が６回繰り返し行なわれることにより、３〜８パス目の背景画像印刷（図４に示されたラスタラインＬ３〜Ｌ８の形成）がコントローラー６０により実行されることとなる（ステップＳ５、Ｓ７、Ｓ９、Ｓ１１、Ｓ１３、Ｓ１５）。
【００７４】
このように、コントローラー６０は、ヘッド３１をロール状透明メディア２に対して搬送方向（移動方向に相当）に相対移動させつつヘッド３１に背景画像用インクを吐出させる背景画像記録パスを、前記搬送方向と交差する列方向（交差方向に相当）におけるヘッド３１のロール状透明メディア２に対する相対位置を変えて複数回（８回）実行して、カラー画像の背景となる背景画像をロール状透明メディア２に印刷する背景画像印刷処理を実行する。そして、かかる背景画像印刷処理の実行により、１ページ分の白ベタ画像がロール状透明メディア２に形成されることとなる。
【００７５】
次に、背景画像印刷処理からのロール状透明メディア２の停止状態を維持しつつ、画像記録領域Ｒ上のロール状透明メディア２の部位（すなわち、白ベタ画像が形成されている部位）に１ページ分のカラー画像記録（本実施の形態においては、ラベルの画像記録）を行なうためのカラー画像印刷処理が、コントローラー６０により開始される。
【００７６】
先ず、コントローラー６０は、１回目のカラー画像記録パスを実行する。すなわち、コントローラー６０は、ヘッド３１をロール状透明メディア２に対して搬送方向に相対移動させつつ（本実施の形態においては、ヘッド３１の方を搬送方向に移動させる）、ヘッド３１にカラー画像用インクを吐出させて、１パス目のカラー画像印刷（図４に示されたラスタラインＬ１の形成）を実行する（ステップＳ１７）。なお、本実施の形態においては、カラー画像用インクとして、４色のインク、すなわち、イエローインク、マゼンタインク、シアンインク、及び、ブラックインクが用いられる。
【００７７】
次に、コントローラー６０は、２回目のカラー画像記録パスを実行する。すなわち、コントローラー６０は、ヘッド３１を列方向へ距離ｄだけ移動させてから、ヘッド３１を搬送方向に移動させつつ、ヘッド３１にイエローインク、マゼンタインク、シアンインク、及び、ブラックインクを吐出させて、２パス目のカラー画像印刷（図４に示されたラスタラインＬ２の形成）を実行する（ステップＳ１９）。
【００７８】
そして、以下、２回目のカラー画像記録パスと同様の動作が６回繰り返し行なわれることにより、３〜８パス目のカラー画像印刷（図４に示されたラスタラインＬ３〜Ｌ８の形成）がコントローラー６０により実行されることとなる（ステップＳ２１、Ｓ２３、Ｓ２５、Ｓ２７、Ｓ２９、Ｓ３１）。
【００７９】
このように、コントローラー６０は、ヘッド３１をロール状透明メディア２に対して搬送方向（移動方向に相当）に相対移動させつつヘッド３１にカラー画像用インクを吐出させるカラー画像記録パスを、前記搬送方向と交差する列方向（交差方向に相当）におけるヘッド３１のロール状透明メディア２に対する相対位置を変えて複数回（８回）実行して、カラー画像をロール状透明メディア２に印刷するカラー画像印刷処理を実行する。そして、かかるカラー画像印刷処理の実行により、１ページ分のカラー画像（ラベルの画像）がロール状透明メディア２に形成されることとなる。換言すれば、１ページ分のカラー画像が１ページ分の背景画像（白ベタ画像）上に重ねられる（背景画像のレイヤー上にカラー画像のレイヤーが重ねられる）。
【００８０】
そして、当該カラー画像印刷処理が終了した際に、コントローラー６０は、前述した間欠的なロール状透明メディア２の搬送を行う。そして、当該搬送に引き続いて、次ページの１ページ分の背景画像記録を行なうための背景画像印刷処理を開始する（図５参照）。
【００８１】
なお、図５には、各ステップの間に、ＰＷ又はＬＷの記号が記されているが、これらは、後述するウェイト処理が実行されることを意味する。ＰＷは、２つの連続するパスの間に実行されるパス間ウェイト処理であり、ＬＷは、２つのレイヤー（すなわち、背景画像のレイヤーとカラー画像のレイヤー）形成の間（換言すれば、背景画像印刷処理とカラー画像印刷処理の間）に実行されるレイヤー間ウェイト処理である。また、パス間ウェイト処理のうち、２つの連続する背景画像記録パスの間に実行される処理を背景画像記録パス間ウェイト処理（ＢＰＷ）とし、２つの連続するカラー画像記録パスの間に実行される処理をカラー画像記録パス間ウェイト処理（ＣＰＷ）としている。以下では、当該ウェイト処理について、詳しく説明する。
【００８２】
＜ウェイト処理について＞
ここでは、ウェイト処理について、図５及び図６を用いて説明する。図６は、図３に対応した図であり、ヘッド３１が退避位置に位置するときの画像記録装置１の様子を示した概略図である。
【００８３】
ウェイト処理は、ロール状透明メディア２に着弾されたインクをプラテン２９の熱により十分に乾燥させる時間を確保するために、パス間又はレイヤー間で、ヘッド３１をプラテン２９上から退避した退避位置へ移動させて退避位置にてヘッド３１を所定待機時間待機させる処理である。前述したとおり、ウェイト処理としては、パス間ウェイト処理とレイヤー間ウェイト処理が実行される。以下では、パス間ウェイト処理について先ず説明し、これに引き続いて、レイヤー間ウェイト処理について説明する。
【００８４】
パス間ウェイト処理は、パス間で、ヘッド３１をプラテン２９上から退避した退避位置へ移動させて退避位置にてヘッド３１を所定待機時間待機させる処理（以下、待機処理とも呼ぶ）である。本実施の形態においては、図５に示されるように、１ページ分の画像記録を行う間に、背景画像記録パス間ウェイト処理（ＢＰＷ）が７回、カラー画像記録パス間ウェイト処理（ＣＰＷ）が７回、それぞれ実行されるが、各パス間ウェイト処理は同様であるので、以下、１回目の背景画像記録パスと２回目の背景画像記録パスの間のパス間ウェイト処理を例に挙げて説明する。
【００８５】
前述したとおり、コントローラー６０は、ステップＳ１で１回目の背景画像記録パス（１パス目の背景画像印刷）を実行した後に、ステップＳ３で２回目の背景画像記録パス（２パス目の背景画像印刷）を実行する。しかしながら、１回目の背景画像記録パスの実行後すぐに、２回目の背景画像記録パスを実行するのではなく、１回目の背景画像記録パスの実行後に、ヘッド３１を退避位置へ移動させて所定待機時間待機させてから、２回目の背景画像記録パスを実行する。
【００８６】
すなわち、コントローラー６０が、１回目の背景画像記録パスを実行し終えたときには、ヘッド３１はプラテン２９の上方に位置しているが、コントローラー６０は、かかる位置（以下、上方位置と呼ぶ）に位置しているヘッド３１をプラテン２９上から退避した退避位置へ移動させる。ここで、プラテン２９上から退避した退避位置とは、ヘッド３１がこの位置に位置しているときにヘッド３１の鉛直方向下方にプラテン２９が存在していない位置のことであり、本実施の形態においては、図６に示す位置、すなわち前述したクリーニングユニット４３とフラッシングユニット４４の間の位置である。そして、コントローラー６０は、当該退避位置にて所定待機時間だけヘッド３１を待機させる。コントローラー６０は、当該所定待機時間が経過すると、ヘッド３１を移動させて前記上方位置へ位置させる（戻す）。そして、コントローラー６０は、ヘッド３１が上方位置へ位置したら、２回目の背景画像記録パスの実行を開始する。
【００８７】
なお、上述したとおり、パス間ウェイト処理には、背景画像記録パス間ウェイト処理とカラー画像記録パス間ウェイト処理があり、カラー画像記録パス間ウェイト処理においても、背景画像記録パス間ウェイト処理と同様の処理が行われる。
【００８８】
次に、レイヤー間ウェイト処理について説明する。レイヤー間ウェイト処理は、レイヤー間（すなわち、背景画像印刷処理とカラー画像印刷処理の間）で、ヘッド３１をプラテン２９上から退避した退避位置へ移動させて退避位置にてヘッド３１を所定待機時間待機させる処理である。本実施の形態においては、図５に示されるように、１ページ分の画像記録を行う間に、１回だけ実行される。
【００８９】
前述したとおり、コントローラー６０は、ステップＳ１５で８回目の背景画像記録パス（８パス目の背景画像印刷）を実行した後に、ステップＳ１７で１回目のカラー画像記録パス（１パス目のカラー画像印刷）を実行する。しかしながら、８回目の背景画像記録パスの実行後すぐに、１回目のカラー画像記録パスを実行するのではなく、８回目の背景画像記録パスの実行後に、前述したウェイト処理を実行してから、１回目のカラー画像記録パスを実行する。
【００９０】
＜表刷り印刷と裏刷り印刷について＞
図５を用いて説明した前述の画像記録動作例においては、コントローラー６０が、先ず背景画像印刷処理を行い、当該背景画像印刷処理に引き続いてカラー画像印刷処理を行っていた。しかしながら、図７に示すように、コントローラー６０は、双方の手順を逆にすること、すなわち、先ずカラー画像印刷処理を行い、当該カラー画像印刷処理に引き続いて背景画像印刷処理を行うこともできる。
【００９１】
一般的に、図５に示した手順による印刷と図７に示した手順による印刷は、それぞれ、表刷り印刷、裏刷り印刷と呼ばれている。そして、本実施の形態に係る画像記録装置１においては、双方の印刷が行えるようになっている。つまり、本実施の形態に係るコントローラー６０は、背景画像印刷処理を行い、当該背景画像印刷処理に引き続いてカラー画像印刷処理を行う表刷り印刷処理と、カラー画像印刷処理を行い、当該カラー画像印刷処理に引き続いて背景画像印刷処理を行う裏刷り印刷処理と、を選択的に実行する。
【００９２】
そして、図７に示すように、裏刷り印刷処理においても、表刷り印刷処理と同様、１ページ分の画像記録を行う間に、７回のカラー画像記録パス間ウェイト処理、７回の背景画像記録パス間ウェイト処理、及び、１回のレイヤー間ウェイト処理が実行される。
【００９３】
＜待機時間の決定について＞
待機時間を決定する処理について、図８Ａ、図８Ｂ、図９Ａ、図９Ｂを用いて説明する。図８Ａ及び図８Ｂは、表刷り印刷用の待機時間決定テーブルを示す図である。図９Ａ及び図９Ｂは、裏刷り印刷用の待機時間決定テーブルを示す図である。なお、表刷り印刷用の待機時間決定テーブル及び裏刷り印刷用の待機時間決定テーブルは、メモリー６３に記録されている。
【００９４】
待機処理における待機時間を決定する処理は、カラー画像を形成するためのインク吐出量、背景画像を形成するためのインク吐出量に応じて、パス間ウェイト処理における待機時間、レイヤー間ウェイト処理における待機時間を決定するための処理である（以下、待機時間決定処理とも呼ぶ）。
【００９５】
前述したとおり、本実施の形態に係る画像記録装置１においては、表刷り印刷及び裏刷り印刷の双方の印刷が行えるようになっている。表刷り印刷では、背景画像印刷処理の実行により、ロール状透明メディア２上に第一層としての背景画像の層が形成され、その後、カラー画像印刷処理の実行により、第二層としてのカラー画像の層が背景画像の層の上に形成される。一方で、裏刷り印刷では、カラー画像印刷処理の実行により、ロール状透明メディア２上に第一層としてのカラー画像の層が形成され、その後、背景画像印刷処理の実行により、第二層としての背景画像の層がカラー画像の層の上に形成される。このように、表刷り印刷及び裏刷り印刷のいずれにおいても、第一層となる画像の上に第二層となる画像が重ねられる。そのため、土台となる第一層の画像を適切に乾燥させなければ、第一層の画像を形成するインクに第二層の画像を形成するインクが混ざり合うことによってインクの滲みが生じてしまう。
【００９６】
また、カラー画像印刷処理において、１ページ分のカラー画像記録を行う際に、ヘッド１がロール状透明メディア２に対して吐出するインク吐出量は、カラー画像のサイズ、色の種類、色の濃淡等に応じて変化する。同様に、背景画像印刷処理においても、１ページ分の背景画像記録を行う際のヘッド１によるインク吐出量は、背景画像に応じて異なる。このようなインク吐出量の変化は、ロール状透明メディア２に着弾されたインクの乾燥状態に影響を与えることになる。したがって、ロール状透明メディア２に着弾されたインクをプラテン２９の熱により十分に乾燥させる時間を確保するためには、カラー画像を形成するためのインク吐出量、又は、背景画像を形成するためのインク吐出量に応じた待機時間を決定する必要がある。
【００９７】
そこで、本実施形態においては、表刷り印刷の場合では、ロール状透明メディア２上に第一層となる背景画像の層を形成する際、背景画像記録パス間ウェイト処理における待機時間を、背景画像を形成するためのインク吐出量に応じて決定するようにした。また、裏刷り印刷の場合には、ロール状透明メディア２上に第一層となるカラー画像の層を形成する際、カラー画像記録パス間ウェイト処理における待機時間を、カラー画像を形成するためのインク吐出量に応じて決定するようにした。
【００９８】
以下では、先ず、表刷り印刷における待機時間決定処理について説明し、これに引き続いて、裏刷り印刷における待機時間決定処理について説明する。
【００９９】
（表刷り印刷における待機時間決定処理）
表刷り印刷の印刷モードがユーザーによって選択されると、画像記録装置１は、ホストコンピューター１１００から表刷り印刷に応じた形式の印刷データを受け取る。そして、画像記録装置１は、表刷り印刷処理を開始する前に待機時間決定処理を行う。
【０１００】
具体的には、先ず、本実施の形態に係るコントローラー６０は、１ページ分の画像記録を行うための印刷データを受信することにより、表刷り印刷における待機時間決定処理を開始する。この印刷データには、コントローラー６０が１ページ分の背景画像記録を行うための背景画像用の印刷データ、及び、コントローラー６０が１ページ分のカラー画像記録を行うためのカラー画像用の印刷データが含まれている。
【０１０１】
次に、コントローラー６０は、背景画像用の印刷データに基づいて、第一層となる背景画像（１ページ分の背景画像）に、各ドット（大ドット、中ドット、小ドット）がいくつ存在するかをカウントする。本実施形態では、背景画像として白画像（所謂白ベタ画像）が印刷されるため、コントローラー６０はホワイトインクのみについてドット数をカウントする。具体的には、コントローラー６０は、背景画像用の印刷データに含まれる画素データに基づいてドット数をカウントする。この画素データは、画素毎の階調（ドット無し、小ドット、中ドット、大ドット）を示す情報である。本実施形態における画素データは、４階調を示す２ビットデータで構成されている。そのため、コントローラー６０は、画素データが［００］の場合にはドットをカウントしない（ドット無し）。一方で、コントローラー６０は、画素データが［０１］の場合には小ドットをカウントし、画素データが［１０］の場合には中ドットをカウントし、画素データが［１１］の場合には大ドットをカウントする。このようにして、コントローラー６０は、１ページ分の背景画像を形成する全画素について各ドットの個数をカウントして、大ドットに対応する画素のカウント値Ｘ、中ドットに対応する画素のカウント値Ｙ、小ドットに対応する画素のカウント値Ｚを、カウントデータとしてメモリー６３に書き込む。
【０１０２】
次に、コントローラー６０は、１ページ分の背景画像記録を行う際のインク吐出量を算出する。すなわち、コントローラー６０は、カウントデータ、及び、各ドットを形成するために必要なインク量を定めたインク量データをメモリー６３から読み出して、１ページ分の背景画像を形成するためにヘッド３１が吐出するインク吐出量を算出する。このインク量データには、大ドットを形成するために必要なインク量として21plが設定され、中ドットを形成するために必要なインク量として7plが設定され、小ドットを形成するために必要なインク量として2.5plが設定されている。したがって、コントローラー６０は、カウント値Ｘにインク量21plを乗じることによって大ドットのインク吐出量を算出し、カウント値Ｙにインク量7plを乗じることによって中ドットのインク吐出量を算出し、カウント値Ｚにインク量2.5plを乗じることによって小ドットのインク吐出量を算出することができる。そして、コントローラー６０は、大ドットのインク吐出量と、中ドットのインク吐出量と、小ドットのインク吐出量をすべて合算することにより、１ページ分の背景画像記録を行う際のインク吐出量を求めることができる。
【０１０３】
次に、コントローラー６０は、表刷り印刷用の待機時間決定テーブルを参照することにより、１ページ分の背景画像記録を行う際のインク吐出量に応じた、背景画像記録パス間ウェイト処理における待機時間、及び、レイヤー間ウェイト処理における待機時間を決定する。
【０１０４】
表刷り印刷用の待機時間決定テーブルは、第一層となる背景画像用の待機時間決定テーブルと、第二層となるカラー画像用の待機時間決定テーブルとを有している。背景画像用の待機時間決定テーブルには、図８Ａに示すように、「大」・「小」の２段階に設定されたインク吐出量に対して、背景画像記録パス間ウェイト処理における待機時間、及び、レイヤー間ウェイト処理における待機時間が、それぞれ関連付けられている。一方、カラー画像用の待機時間決定テーブルには、図８Ｂに示すように、「大」・「中」・「小」の３段階に設定されたインク吐出量に対して、カラー画像記録パス間ウェイト処理における待機時間のみが関連付けられている。
【０１０５】
このように、背景画像用の待機時間決定テーブル及びカラー画像用の待機時間決定テーブルの双方は、待機時間を段階的に設定しているが、カラー画像用の待機時間決定テーブルの方が背景画像用の待機時間決定テーブルよりも待機時間を多段階に設定している。これは、カラー画像は、背景画像よりもデザイン性が高いため、サイズの大小、色の種類、色の濃淡など、ベタ印刷の背景画像に比べて豊富なバリエーションを有している。そのため、カラー画像を形成するためのインク吐出量は、背景画像を形成するためのインク吐出量に比べて大きく変化する傾向にある。そこで、このようなカラー画像を適切に乾燥させるために、カラー画像用の待機時間決定テーブルの方が背景画像用の待機時間決定テーブルよりも待機時間を多段階に設定できるようにした。
【０１０６】
また、レイヤー間ウェイト処理における待機時間は、背景画像用の待機時間決定テーブルに設定されているが、カラー画像用の待機時間決定テーブルには設定されていない。これは、第二層となるカラー画像は第一層となる背景画像の上に重ねられるため、インクの滲みの発生を抑えるためには、第一層となる背景画像を適切に乾燥させる必要がある。そのため、レイヤー間ウェイト処理における待機時間を、第一層となる背景画像用の待機時間決定テーブルに設定することとし、背景画像を形成するためのインク吐出量に応じて変化させるようにした。
【０１０７】
このように、待機時間決定テーブルを用いることにより、背景画像を形成するためのインク吐出量に応じて待機時間を段階的に変化させることができる。そのため、比較的乾き難い背景画像（インク吐出量が多い背景画像）について、画像の画質の劣化を抑える対策が確実に採られる一方で、比較的乾き易い背景画像（インク吐出量が少ない背景画像）については、印刷速度を向上させることを重視して過剰な待機時間が省略されることとなる。その結果、土台となる第一層の背景画像を適切に乾燥させるための時間を確保することができるようになるため、第一層となる背景画像の上に第二層となるカラー画像を重ねたとしても、インクの滲みの発生を抑えることが可能となる。
【０１０８】
本実施形態では、コントローラー６０は、１ページ分の背景画像記録を行う際のインク吐出量を求めた結果、求めたインク吐出量が「大」・「小」の２段階に設定したインク吐出量のうちの「小」であると判定した場合、背景画像用の待機時間決定テーブルに基づいて、背景画像記録パス間ウェイト処理における待機時間を「ＴＢ１」に決定すると共に、レイヤー間ウェイト処理における待機時間を「ＳＢ１」に決定する。一方で、コントローラー６０は、求めたインク吐出量が「大」であると判定した場合、背景画像用の待機時間決定テーブルに基づいて、背景画像記録パス間ウェイト処理における待機時間を「ＴＢ２」に決定すると共に、レイヤー間ウェイト処理における待機時間を「ＳＢ２」に決定する。なお、待機時間決定テーブルにおいて、ＴＢ１、ＴＢ２、ＳＢ１、ＳＢ２は時間を表しており、ＴＢ１＜ＴＢ２であると共に、ＳＢ１＜ＳＢ２である。
【０１０９】
以上により、表刷り印刷の場合では、土台となる第一層の背景画像を適切に乾燥させるために、背景画像記録パス間ウェイト処理における待機時間、及び、レイヤー間ウェイト処理における待機時間を、背景画像を形成するためのインク吐出量に応じて決定することができる。
【０１１０】
以下では、第一層の背景画像に引き続き、第二層のカラー画像について、つまり、カラー画像記録パス間ウェイト処理における待機時間を決定する処理について、説明する。なお、画像デザイン等によってカラー画像を形成するためのインク吐出量が変化するため、このインク吐出量に合わせて第二層のカラー画像も適切に乾燥させることが望ましい。
【０１１１】
引き続き、コントローラー６０は、カラー画像用の印刷データに基づいて、第二層となるカラー画像（１ページ分のカラー画像）に、各ドット（大ドット、中ドット、小ドット）がいくつ存在するかをカウントする。本実施形態では、カラー画像用インクとして、４色のインク、すなわち、イエローインク、マゼンタインク、シアンインク、及び、ブラックインクが用いられるため、コントローラー６０は各インクのドット数をカウントする。具体的には、コントローラー６０は、カラー画像用の印刷データに含まれる画素データに基づいて各インクのドット数をカウントする。すなわち、コントローラー６０は、画素データが［００］の場合にはドットをカウントしない（ドット無し）。一方で、コントローラー６０は、画素データが［０１］の場合には小ドットをカウントし、画素データが［１０］の場合には中ドットをカウントし、画素データが［１１］の場合には大ドットをカウントする。このようにして、コントローラー６０は、１ページ分のカラー画像を形成する全画素について各ドットの個数をカウントすると、大ドットに対応する画素のカウント値Ｘ、中ドットに対応する画素のカウント値Ｙ、小ドットに対応する画素のカウント値Ｚを、カウントデータとしてメモリー６３に書き込む。
【０１１２】
次に、コントローラー６０は、１ページ分のカラー画像記録を行う際のインク吐出量を算出する。すなわち、コントローラー６０は、カウントデータ、及び、インク量データをメモリー６３から読み出して、１ページ分のカラー画像を形成するためにヘッド３１が吐出するインク吐出量を算出する。具体的には、コントローラー６０は、カウント値Ｘにインク量21plを乗じることによって大ドットのインク吐出量を算出し、カウント値Ｙにインク量7plを乗じることによって中ドットのインク吐出量を算出し、カウント値Ｚにインク量2.5plを乗じることによって小ドットのインク吐出量を算出することができる。そして、コントローラー６０は、大ドットのインク吐出量と、中ドットのインク吐出量と、小ドットのインク吐出量とをすべて合算することにより、１ページ分のカラー画像記録を行う際のインク吐出量を求めることができる。
【０１１３】
次に、コントローラー６０は、表刷り印刷用の待機時間決定テーブルを参照することにより、１ページ分のカラー画像記録を行う際のインク吐出量に応じた、カラー画像記録パス間ウェイト処理における待機時間を決定する。本実施形態では、コントローラー６０は、１ページ分のカラー画像記録を行う際のインク吐出量を求めた結果、求めたインク吐出量が「大」・「中」・「小」の３段階に設定されたインク吐出量のうちの「小」であると判定した場合、カラー画像用の待機時間決定テーブルに基づいて（図８Ｂ参照）、カラー画像記録パス間ウェイト処理における待機時間を「ＴＣ１」に決定する。また、コントローラー６０は、求めたインク吐出量が「中」であると判定した場合、カラー画像用の待機時間決定テーブルに基づいて、カラー画像記録パス間ウェイト処理における待機時間を「ＴＣ２」に決定する。また、コントローラー６０は、求めたインク吐出量が「大」であると判定した場合、カラー画像用の待機時間決定テーブルに基づいて、カラー画像記録パス間ウェイト処理における待機時間を「ＴＣ３」に決定する。なお、待機時間決定テーブルにおいて、ＴＣ１、ＴＣ２、ＴＣ３は時間を表しており、ＴＣ１＜ＴＣ２＜ＴＣ３である。
【０１１４】
なお、表刷り印刷における待機時間決定処理では、第二層となるカラー画像用の待機時間決定テーブルに基づいて（図８Ｂ参照）、レイヤー間ウェイト処理における待機時間は決定されない。これは、第一層となる背景画像用の待機時間決定テーブル（図８Ａ参照）に基づいて、レイヤー間ウェイト処理における待機時間が既に決定されているためである。
【０１１５】
（裏刷り印刷における待機時間決定処理）
裏刷り印刷の印刷モードがユーザーによって選択されると、画像記録装置１は、ホストコンピューター１１００から裏刷り印刷に応じた形式の印刷データを受け取る。そして、画像記録装置１は、裏刷り印刷処理を開始する前に待機時間決定処理を行う。
【０１１６】
具体的には、先ず、本実施の形態に係るコントローラー６０は、１ページ分の画像記録を行うための印刷データを受信することにより、裏刷り印刷における待機時間決定処理を開始する。この印刷データには、コントローラー６０が１ページ分のカラー画像記録を行うためのカラー画像用の印刷データ、及び、コントローラー６０が１ページ分の背景画像記録を行うための背景画像用の印刷データが含まれている。
【０１１７】
次に、コントローラー６０は、カラー画像用の印刷データに基づいて、第一層となるカラー画像（１ページ分のカラー画像）に、各ドット（大ドット、中ドット、小ドット）がいくつ存在するかをカウントする。本実施形態では、カラー画像用インクとして、４色のインク、すなわち、イエローインク、マゼンタインク、シアンインク、及び、ブラックインクが用いられるため、コントローラー６０は各インクのドット数をカウントする。具体的には、コントローラー６０は、カラー画像用の印刷データに含まれる画素データに基づいて各インクのドット数をカウントする。すなわち、コントローラー６０は、画素データが［００］の場合にはドットをカウントしない（ドット無し）。一方で、コントローラー６０は、画素データが［０１］の場合には小ドットをカウントし、画素データが［１０］の場合には中ドットをカウントし、画素データが［１１］の場合には大ドットをカウントする。このようにして、コントローラー６０は、１ページ分のカラー画像を形成する全画素について各ドットの個数をカウントし、大ドットに対応する画素のカウント値Ｘ、中ドットに対応する画素のカウント値Ｙ、小ドットに対応する画素のカウント値Ｚを、カウントデータとしてメモリー６３に書き込む。
【０１１８】
次に、コントローラー６０は、１ページ分のカラー画像記録を行う際のインク吐出量を算出する。すなわち、コントローラー６０は、カウントデータ、及び、インク量データをメモリー６３から読み出して、１ページ分のカラー画像を形成するためにヘッド３１が吐出するインク吐出量を算出する。具体的には、コントローラー６０は、カウント値Ｘにインク量21plを乗じることによって大ドットのインク吐出量を算出し、カウント値Ｙにインク量7plを乗じることによって中ドットのインク吐出量を算出し、カウント値Ｚにインク量2.5plを乗じることによって小ドットのインク吐出量を算出する。そして、コントローラー６０は、大ドットのインク吐出量と、中ドットのインク吐出量と、小ドットのインク吐出量とをすべて合算することにより、１ページ分のカラー画像記録を行う際のインク吐出量を求めることができる。
【０１１９】
次に、コントローラー６０は、裏刷り印刷用の待機時間決定テーブルを参照することにより、１ページ分のカラー画像記録を行う際のインク吐出量に応じた、カラー画像記録パス間ウェイト処理における待機時間、及び、レイヤー間ウェイト処理における待機時間を決定する。
【０１２０】
裏刷り印刷用の待機時間決定テーブルは、第一層となるカラー画像用の待機時間決定テーブルと、第二層となる背景画像用の待機時間決定テーブルとを有している。裏刷り印刷用の待機時間決定テーブルには、図９Ａに示すように、「大」・「中」・「小」の３段階に設定されたインク吐出量に対して、カラー画像記録パス間ウェイト処理における待機時間、及び、レイヤー間ウェイト処理における待機時間が、それぞれ関連付けられている。一方、背景画像用の待機時間決定テーブルには、図９Ｂに示すように、「大」・「小」の２段階に設定されたインク吐出量に対して、背景画像記録パス間ウェイト処理における待機時間のみが関連付けられている。
【０１２１】
このように、レイヤー間ウェイト処理における待機時間は、カラー画像用の待機時間決定テーブルに設定されているが、背景画像用の待機時間決定テーブルには設定されていない。これは、第二層となる背景画像は第一層となるカラー画像の上に重ねられるため、インクの滲みの発生を抑えるためには、第一層となるカラー画像を適切に乾燥させる必要がある。そのため、レイヤー間ウェイト処理における待機時間を、第一層となるカラー画像用の待機時間決定テーブルに設定することとし、カラー画像を形成するためのインク吐出量に応じて変化させるようにした。
【０１２２】
以上のように、待機時間決定テーブルを用いることにより、カラー画像を形成するためのインク吐出量に応じて待機時間を段階的に変化させることができる。そのため、比較的乾き難いカラー画像（インク吐出量が多いカラー画像）について、画像の画質の劣化を抑える対策が確実に採られる一方で、比較的乾き易い画像（インク吐出量が少ないカラー画像）については、印刷速度を向上させることを重視して過剰な待機時間が省略されることとなる。その結果、土台となる第一層のカラー画像を適切に乾燥させるための時間を確保することができるため、第一層となるカラー画像の上に第二層となる背景画像を重ねたとしても、インクの滲みの発生を抑えることが可能となる。
【０１２３】
本実施形態では、コントローラー６０は、１ページ分のカラー画像記録を行う際のインク吐出量を求めた結果、求めたインク吐出量が「大」・「中」・「小」の３段階に設定したインク吐出量のうちの「小」であると判定した場合、カラー画像用の待機時間決定テーブルに基づいて、カラー画像記録パス間ウェイト処理における待機時間を「ＴＣ１」に決定すると共に、レイヤー間ウェイト処理における待機時間を「ＳＣ１」に決定する。また、コントローラー６０は、求めたインク吐出量が「中」であると判定した場合、カラー画像用の待機時間決定テーブルに基づいて、カラー画像記録パス間ウェイト処理における待機時間を「ＴＣ２」に決定すると共に、レイヤー間ウェイト処理における待機時間を「ＳＣ２」に決定する。さらに、コントローラー６０は、求めたインク吐出量が「大」であると判定した場合、カラー画像用の待機時間決定テーブルに基づいて、カラー画像記録パス間ウェイト処理における待機時間を「ＴＣ３」に決定すると共に、レイヤー間ウェイト処理における待機時間を「ＳＣ３」に決定する。なお、待機時間決定テーブルにおいて、ＴＣ１、ＴＣ２、ＴＣ３、ＳＣ１、ＳＣ２、ＳＣ３は時間を表しており、ＴＣ１＜ＴＣ２＜ＴＣ３であると共に、ＳＣ１＜ＳＣ２＜ＳＣ３である。
【０１２４】
以上により、裏刷り印刷の場合では、土台となる第一層のカラー画像を適切に乾燥させるために、カラー画像記録パス間ウェイト処理における待機時間、及び、レイヤー間ウェイト処理における待機時間を、カラー画像を形成するためのインク吐出量に応じて決定することができる。
【０１２５】
以下では、第一層のカラー画像に引き続き、第二層の背景画像について、つまり、背景画像記録パス間ウェイト処理における待機時間を決定する処理について、説明する。なお、画像デザイン等によって背景画像を形成するためのインク吐出量が変化する場合もあるため、このインク吐出量に合わせて第二層の背景画像も適切に乾燥させることが望ましい。
【０１２６】
引き続いて、コントローラー６０は、背景画像用の印刷データに基づいて、第二層となる背景画像（１ページ分の背景画像）に、各ドット（大ドット、中ドット、小ドット）がいくつ存在するかをカウントする。本実施形態では、背景画像として白画像（所謂白ベタ画像）が印刷されるため、コントローラー６０はホワイトインクのみについてドット数をカウントする。具体的には、コントローラー６０は、背景画像用の印刷データに含まれる画素データに基づいてドット数をカウントする。すなわち、コントローラー６０は、画素データが［００］の場合にはドットをカウントしない（ドット無し）。一方で、コントローラー６０は、画素データが［０１］の場合には小ドットをカウントし、画素データが［１０］の場合には中ドットをカウントし、画素データが［１１］の場合には大ドットをカウントする。このようにして、コントローラー６０は、１ページ分のカラー画像を形成する全画素について各ドットの個数をカウントすると、大ドットに対応する画素のカウント値Ｘ、中ドットに対応する画素のカウント値Ｙ、小ドットに対応する画素のカウント値Ｚを、カウントデータとしてメモリー６３に書き込む。
【０１２７】
次に、コントローラー６０は、１ページ分の背景画像記録を行う際のインク吐出量を算出する。すなわち、コントローラー６０は、カウントデータ、及び、インク量データをメモリー６３から読み出して、１ページ分の背景画像を形成するためにヘッド３１が吐出するインク吐出量を算出する。具体的には、コントローラー６０は、カウント値Ｘにインク量21plを乗じることによって大ドットのインク吐出量を算出し、カウント値Ｙにインク量7plを乗じることによって中ドットのインク吐出量を算出し、カウント値Ｚにインク量2.5plを乗じることによって小ドットのインク吐出量を算出する。そして、コントローラー６０は、大ドットのインク吐出量と、中ドットのインク吐出量と、小ドットのインク吐出量とをすべて合算することにより、１ページ分の背景画像記録を行う際のインク吐出量を求めることができる。
【０１２８】
次に、コントローラー６０は、裏刷り印刷用の待機時間決定テーブルを参照することにより、１ページ分の背景画像記録を行う際のインク吐出量に応じた、背景画像記録パス間ウェイト処理における待機時間を決定する。本実施形態では、コントローラー６０は、１ページ分の背景画像記録を行う際のインク吐出量を求めた結果、求めたインク吐出量が「大」・「小」の２段階に設定されたインク吐出量のうちの「小」であると判定した場合、背景画像用の待機時間決定テーブルに基づいて（図９Ｂ参照）、背景画像記録パス間ウェイト処理における待機時間を「ＴＢ１」に決定する。また、コントローラー６０は、求めたインク吐出量が「大」であると判定した場合、背景画像用の待機時間決定テーブルに基づいて、背景画像記録パス間ウェイト処理における待機時間を「ＴＢ２」に決定する。なお、待機時間決定テーブルにおいて、ＴＢ１、ＴＢ２は時間を表しており、ＴＢ１＜ＴＢ２である。
【０１２９】
＝＝＝本実施の形態に係る画像記録装置１の有効性について＝＝＝
上述したとおり、本実施の形態に係る画像記録装置１は、ロール状透明メディア２を支持し、かつ、加熱するプラテン２９と、プラテン２９により支持され、かつ、加熱されたロール状透明メディア２にカラー画像用インク及び背景画像用インクを吐出するヘッド３１と、ヘッド３１をロール状透明メディア２に対して搬送方向に相対移動させつつヘッド３１にカラー画像用インクを吐出させるカラー画像記録パスを、前記搬送方向と交差する列方向におけるヘッド３１のロール状透明メディア２に対する相対位置を変えて複数回実行して、カラー画像をロール状透明メディア２に印刷するカラー画像印刷処理、及び、ヘッド３１をロール状透明メディア２に対して搬送方向に相対移動させつつヘッド３１に背景画像用インクを吐出させる背景画像記録パスを、前記搬送方向と交差する列方向におけるヘッド３１のロール状透明メディア２に対する相対位置を変えて複数回実行して、カラー画像の背景となる背景画像をロール状透明メディア２に印刷する背景画像印刷処理、のうちの一方の処理を行い、該一方の処理に引き続いて他方の処理を行うコントローラー６０と、を有している。そして、当該コントローラー６０は、前記一方の処理としてカラー画像印刷処理を行う場合、複数回のカラー画像記録パスの間において、ヘッド３１をプラテン２９上から退避した退避位置へ移動させて退避位置にて待機時間だけヘッド３１を待機させ、及び、前記一方の処理として背景画像印刷処理を行う場合、複数回の背景画像記録パスの間において、ヘッド３１を退避位置へ移動させて退避位置にて待機時間だけヘッド３１を待機させる処理を実行し、前記一方の処理としてカラー画像印刷処理を行う場合、複数回のカラー画像記録パスの間において、ヘッド３１をプラテン２９上から退避した退避位置へ移動させて退避位置にて待機時間だけヘッド３１を待機させ、及び、前記一方の処理として背景画像印刷処理を行う場合、複数回の背景画像記録パスの間において、ヘッド３１を退避位置へ移動させて退避位置にて待機時間だけヘッド３１を待機させる処理を実行する。すなわち、コントローラー６０は、待機処理の待機時間をインク吐出量に応じて変化させる処理を実行する。そして、このことにより、画像の画質の劣化を抑えることが可能となる。
【０１３０】
比較例に係る画像記録装置１においては、このようなパス間ウェイト処理を実行していなかったため、以下の問題点が生じていた。
【０１３１】
すなわち、２つの連続する画像記録パスにより形成された互いに隣り合ったラスタラインのインク（例えば、１回目の背景画像記録パスにより形成されたラスタラインＬ１のインクと２回目の背景画像記録パスにより形成されたラスタラインＬ２のインク）が混ざり合って滲みが生ずる事象が発生していた。つまり、１回目の背景画像記録パスにより形成されたラスタラインＬ１のインクが十分に乾燥する間もなく、２回目の背景画像記録パスによりラスタラインＬ２が形成されてしまうため、このような事象の発生を招いていた。
【０１３２】
また、画像の解像度が高い場合には、１回目の背景画像記録パスにより形成されたラスタラインＬ１のインク上に、２回目の背景画像記録パスにより形成されたラスタラインＬ２のインクが一部重ねられることとなるが、かかる際には、十分に乾燥していないラスタラインＬ１のインクの上にラスタラインＬ２のインクが被さってラスタラインＬ２のインクが膜の役割を果たすこととなる。そのため、１回目の背景画像記録パスにより形成されたラスタラインＬ１のインクの乾きが、膜となった２回目の背景画像記録パスにより形成されたラスタラインＬ２のインクによって顕著に阻害されることとなる。そして、３回目の背景画像記録パスにより形成されたラスタラインＬ３以降のラスタラインが順次重ねられていくと、これらのラスタラインについても、同様の理由によりインクの乾きが阻害されることとなる。
【０１３３】
そして、次に、１回目のカラー画像記録パスによりラスタラインＬ１が形成されると、当該ラスタラインＬ１のインクも膜の役割を果たすこととなるが、その一方で、当該ラスタラインＬ１のインク（すなわち、カラーインク）が、十分に乾燥していない背景画像記録パスにより形成されたラスタラインのインク（すなわち、ホワイトインク）を伝わって、下方向へ移動する事象（このような事象をインクの沈み込みと呼ぶ）も生ずる。そして、かかる事象が顕著に発生すると、白インクの裏側までカラーインクが達してしまう場合もある。このように、表刷り印刷の場合には、カラーインクがホワイトインク（白ベタ画像）の中へ（場合によっては、裏側まで）沈み込んでしまう。また、裏刷り印刷の場合には、ホワイトインクがカラーインク（カラー画像）の中へ（場合によっては、裏側まで）沈み込んでしまう。
【０１３４】
これに対し、本実施の形態に係る画像記録装置１においては、パス間ウェイト処理を実行するため、ロール状透明メディア２に着弾されたインクをプラテン２９の熱により十分に乾燥させる時間をパス間で確保することができる。そのため、各ラスタラインのインクが十分に乾燥してから、当該ラスタラインの次のラスタラインが形成されることとなる。そのため、上述した滲みや沈み込みの発生が抑制される。
【０１３５】
また、パス間ウェイト処理においては、ヘッド３１を退避位置へ移動させて退避位置にてヘッド３１を待機させるので、インク吐出ノズルの目詰まりの発生を抑制することが可能となる。すなわち、仮にヘッド３１を退避位置へ移動させないでプラテン２９の上方に位置させたままにすると、プラテン２９の熱がインク吐出ノズルに位置するインクに作用することにより、インクの粘度が変化して不適切な値となる。そして、このことに起因して、インク吐出ノズルの目詰まりが発生することとなる。本実施の形態においては、ヘッド３１を退避位置へ移動させて退避位置にてヘッド３１を待機させるので、当該目詰まりの発生を抑制することが可能となる。
【０１３６】
さらに、比較例に係る画像記録装置１においては、このようなインク吐出量に応じて待機処理の待機時間を変化させる処理を実行していなかった。そのため、インク吐出量が多い画像の方がインク吐出量の少ない画像よりも乾き難い傾向があるにも関わらず、双方の画像共に待機時間を一定にすれば、画像が十分に乾燥しても印刷速度（印刷物が完成するまでの速度）が遅くなったり、印刷速度は速くても乾燥が不十分であったりするおそれがある。したがって、インク吐出量に応じて待機時間を決定しパス間ウェイト処理を行うこととすれば、比較的乾き難い画像（インク吐出量が多い画像）について、画像の画質の劣化を抑える対策が確実に採られる一方で、比較的乾き易い画像（インク吐出量が少ない画像）については、印刷物が完成するまでの印刷速度を向上させることを重視して過剰な待機時間が省略されることとなる。そのため、画像の画質の劣化を抑えつつ印刷速度を向上させることが可能となる。また、表刷り印刷及び裏刷り印刷のいずれにおいても、第一層となる画像の上に第二層となる画像が重ねられるため、土台となる第一層の画像をインク吐出量に応じて適切に乾燥させなければ、第一層の画像を形成するインクに第二層の画像を形成するインクが混ざり合うことによってインクの滲みが生じることとなる。そこで、本実施の形態においては、表刷り印刷の場合では、ロール状透明メディア２上に第一層となる背景画像の層を形成する際、背景画像記録パス間ウェイト処理における待機時間を、背景画像を形成するためのインク吐出量に応じて変化させることとした。また、裏刷り印刷の場合には、ロール状透明メディア２上に第一層となるカラー画像の層を形成する際、カラー画像記録パス間ウェイト処理における待機時間を、カラー画像を形成するためのインク吐出量に応じて変化させることとした。そして、このことにより、土台となる第一層の画像を適切に乾燥させるための時間を確保することができるようになるため、画像の画質の劣化を抑えることが可能となる。
【０１３７】
このように、本実施の形態においては、滲み、沈み込み、目詰まりの発生が抑制され、画像の画質の劣化が抑えられる。
【０１３８】
＝＝＝その他の実施の形態＝＝＝
上記の実施の形態は、主として印刷装置について記載されているが、印刷方法等の開示も含まれている。また、上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【０１３９】
また、上記実施の形態においては、媒体としてロール状透明メディア２を例に挙げて説明したが、これに限定されるものではなく、例えば、カットされたメディアであってもよいし、透明でないメディアであってもよい。
【０１４０】
また、上記実施の形態においては、全ての背景画像記録パス間（図５や図７において、７回のパス間）で、パス間ウェイト処理を実行することとしたが、これに限定されるものではなく、一部の背景画像記録パス間で、パス間ウェイト処理を実行することとしてもよい。また。全てのカラー画像記録パス間（図５や図７において、７回のパス間）で、パス間ウェイト処理を実行することとしたが、これに限定されるものではなく、一部のカラー画像記録パス間で、パス間ウェイト処理を実行することとしてもよい。
【０１４１】
また、上記実施の形態においては、印刷装置としてラテラルスキャン型のラベル印刷機を例に挙げて説明したが、これに限定されるものではなく、例えば、シリアルスキャン型のラージフォーマットプリンターであってもよい。
【０１４２】
以下では、当該シリアルスキャン型のラージフォーマットプリンター（以下、インクジェットプリンター５０１と呼ぶ）について、図１０及び図１１を用いて説明する。図１０は、インクジェットプリンター５０１の外観模式図である。図１１は、インクジェットプリンター５０１の構成を示す概略図である。
【０１４３】
図１０及び図１１に示すように、インクジェットプリンター５０１は、プリンター本体５０２と、プリンター本体５０２を支持する支持スタンド５０３と、を備えている。このインクジェットプリンター５０１は、ロール状透明メディア５２１を支持し、かつ、加熱するプラテン（不図示）と、プラテンにより支持され、かつ、加熱されたロール状透明メディア５２１にカラー画像用インク及び背景画像用インクを吐出するインクジェットヘッド５４１と、コントローラーと、を備えている。そして、当該インクジェットプリンター５０１においても、前述した背景画像印刷処理とカラー画像形成処理がコントローラーにより実行される。
【０１４４】
表刷り印刷処理を例に挙げて説明すると、コントローラーは、先ず、インクジェットヘッド５４１をロール状透明メディア５２１に対して移動方向（図１１において、黒太矢印で示した方向）に相対移動させつつインクジェットヘッド５４１に背景画像用インクを吐出させる背景画像記録パスを、前記移動方向と交差する交差方向（図１１において、白太矢印で示した方向）におけるインクジェットヘッド５４１のロール状透明メディア５２１に対する相対位置を変えて複数回実行して、カラー画像の背景となる背景画像をロール状透明メディア５２１に印刷する背景画像印刷処理を実行する。
【０１４５】
ここで、コントローラーは、上述したラベル印刷機と同様、インクジェットヘッド５４１の方をロール状透明メディア５２１に対して移動方向に移動させつつインクジェットヘッド５４１に背景画像用インクを吐出させて背景画像記録パスを実行する。しかしながら、ラベル印刷機においては、当該背景画像記録パスを交差方向におけるインクジェットヘッド５４１のロール状透明メディア５２１に対する相対位置を変えて複数回実行する際に、インクジェットヘッド５４１を交差方向に移動させることにより当該相対位置を変えていたのに対し、インクジェットプリンター５０１においては、かかる際に、ロール状透明メディア５２１の方を交差方向に移動させることにより当該相対位置を変える。つまり、インクジェットプリンター５０１においては、ラベル印刷機とは異なり、コントローラーが、ロール状透明メディア５２１を搬送方向（すなわち、前記交差方向）に送りながら、背景画像印刷処理を実行する。
【０１４６】
コントローラーは、背景画像印刷処理の実行が終了したら、これに引き続いてカラー画像印刷処理を実行するが、カラー画像印刷処理を実行する前に、背景画像印刷処理において送った分の搬送量だけ、ロール状透明メディア５２１をバックフィードする。
【０１４７】
次に、コントローラーは、インクジェットヘッド５４１をロール状透明メディア５２１に対して移動方向（図１１において、黒太矢印で示した方向）に相対移動させつつインクジェットヘッド５４１にカラー画像用インクを吐出させるカラー画像記録パスを、前記移動方向と交差する交差方向（図１１において、白太矢印で示した方向）におけるインクジェットヘッド５４１のロール状透明メディア５２１に対する相対位置を変えて複数回実行して、カラー画像をロール状透明メディア５２１に印刷するカラー画像印刷処理を実行する。
【０１４８】
なお、かかる際にも、コントローラーは、インクジェットヘッド５４１の方をロール状透明メディア５２１に対して移動方向に移動させつつインクジェットヘッド５４１にカラー画像用インクを吐出させてカラー画像記録パスを実行し、当該カラー画像記録パスを交差方向におけるインクジェットヘッド５４１のロール状透明メディア５２１に対する相対位置を変えて複数回実行する際に、ロール状透明メディア５２１の方を交差方向に移動させることにより当該相対位置を変える。
【０１４９】
そして、このような背景画像印刷処理及びカラー画像印刷処理における背景画像記録パスの間やカラー画像記録パスの間に、上述した待機処理を備えたパス間ウェイト処理を行うようにしてもよい。また、待機処理における待機時間を決定する際に、上述した待機時間決定処理を行うようにしてもよい。
【符号の説明】
【０１５０】
１  画像記録装置、２  ロール状透明メディア
１０  給送ユニット、１８  ロール状透明メディア巻軸
１９  中継ローラー、２０  搬送ユニット
２０ａ  ステアリングユニット、２１  中継ローラー
２２  中継ローラー、２３  第一搬送ローラー
２３ａ  第一駆動ローラー、２３ｂ  第一従動ローラー
２４  第二搬送ローラー、２４ａ  第二駆動ローラー
２４ｂ  第二従動ローラー、２５  反転ローラー
２６  中継ローラー、２７  送り出しローラー
２９  プラテン、３０  ヘッドユニット
３１  ヘッド、３２  ノズル面
３５  インク補給ユニット、４０  キャリッジユニット
４１  ガイドレール、４２  キャリッジ
４３  クリーニングユニット、４４  フラッシングユニット
５０  検出器群、６０  コントローラー
６１  インターフェース部、６２  ＣＰＵ
６３  メモリー、６４  ユニット制御回路
７０  ヒーターユニット、８０  送風ユニット
８１  天井ファン、８２  オンキャリッジファン
９０  巻き取りユニット、９１  中継ローラー
９２  ロール状透明メディア巻き取り駆動軸
５０１  インクジェットプリンター、５０２  プリンター本体
５０３  支持スタンド、５２１  ロール状透明メディア
５４１  インクジェットヘッド、１０００  印刷システム
１１００  ホストコンピューター、１２００  表示装置
１３００  入力装置、１４００  記録再生装置
【図１】
2013203034.tif 000003
【図２】
2013203034.tif 000004
【図３】
2013203034.tif 000005
【図４】
2013203034.tif 000006
【図５】
2013203034.tif 000007
【図６】
2013203034.tif 000008
【図７】
2013203034.tif 000009
【図８】
2013203034.tif 000010
【図９】
2013203034.tif 000011
【図１０】
2013203034.tif 000012
【図１１】
2013203034.tif 000013